(57)【要約】【課題】オイルパンへのオイル戻り量が少ない部分からのエアの吸い込みが抑制された自動変速機のオイル吸入装置を提供する。【解決手段】自動変速機のオイル吸入装置は、自動変速機の各部に供給されたオイルが戻されて貯留されるオイルパン１００と、オイルパン１００の上方に位置するオイルストレーナ２１０と、オイルパン１００に貯留されたオイルを吸入する吸入口２００と、オイルパン１００におけるオイルの戻り量が相対的に少ない部分と吸入口２００との間に選択的に設けられ、オイルパン１００の底面からオイルストレーナ２１０の下面に達し、オイルの流れを遮断する弾性壁３００とを備える。【選択図】図４
2008128269.tif 000002
【特許請求の範囲】
【請求項１】
底面を有し、自動変速機の各部に供給されたオイルが戻されて貯留されるオイルパンと、
前記オイルパンの上方に位置する下面を有する上方部材と、
前記オイルパンに貯留されたオイルを吸入する吸入口と、
前記オイルパンにおける前記オイルの戻り量が相対的に少ない部分と前記吸入口との間に選択的に設けられ、前記オイルパンの底面から前記上方部材の下面に達し、前記オイルの流れを遮断する遮断部とを備えた、自動変速機のオイル吸入装置。
【請求項２】
前記遮断部は、前記オイルパンの底面と前記上方部材の下面との間隔に応じて変形可能である、請求項１に記載の自動変速機のオイル吸入装置。
【請求項３】
前記遮断部は弾性部材を含む、請求項２に記載の自動変速機のオイル吸入装置。
【請求項４】
底面を有し、自動変速機の各部に供給されたオイルが戻されて貯留されるオイルパンと、
前記オイルパンに貯留されたオイルを吸入する吸入口と、
前記吸入口の周囲に設けられ、前記オイルパンにおける前記オイルの戻り量が相対的に多い部分と前記吸入口との間に開口部を有する壁状部材とを備え、
前記壁状部材は、前記オイルパンに貯留された前記オイルの液面の高さに応じて前記吸入口に対して上下に移動可能であり、該壁状部材は、最下位置に移動したときにはその下端が前記オイルパンの底面に接触し、かつ、前記最下位置より上側に移動したときにはその下端が前記オイルパンの底面と離間する、自動変速機のオイル吸入装置。
【請求項５】
前記オイルパンの上方に位置する下面を有する上方部材をさらに備え、
前記壁状部材は、少なくとも前記上方部材の下面に達するように設けられる、請求項４に記載の自動変速機のオイル吸入装置。
【請求項６】
前記壁状部材は、前記オイルよりも比重の小さい素材を含み、前記オイルパンに貯留された前記オイルの液面高さに応じて浮上するように構成される、請求項４または請求項５に記載の自動変速機のオイル吸入装置。
【請求項７】
前記オイルの戻り量が相対的に多い部分は、第１部分と、該第１部分よりも前記オイルの戻り量が多い第２部分とを含み、
前記開口部は、前記第１部分と前記吸入口との間に位置する第１開口部と、前記第２部分と前記吸入口との間に位置する第２開口部とを含み、
前記第２開口部は、前記第１開口部よりも広く形成される、請求項４から請求項６のいずれかに記載の自動変速機のオイル吸入装置。
【請求項８】
前記壁状部材は円筒状に形成され、該壁状部材の外周面から径方向外方に突出する突起部を含む、請求項４から請求項７のいずれかに記載の自動変速機のオイル吸入装置。
【発明の詳細な説明】
【技術分野】
【０００１】
本発明は、自動変速機のオイル吸入装置に関し、特に、オイルパンに貯留されたオイルを吸入する自動変速機のオイル吸入装置に関する。
【背景技術】
【０００２】
車両に搭載される変速機が従来から知られている。
たとえば、特開２０００−４６１５５号公報（特許文献１）においては、無段変速装置を収納する第１室と発進装置を含む駆動力伝達装置を収納する第２室とを有するハウジングを備えた車両用変速機において、潤滑油をオイルパンに戻すための油路を各室にそれぞれ設けることが記載されている。
【０００３】
また、特開平１１−２５７４６８号公報（特許文献２）においては、自動変速機のオイルストレーナの周りを閉じた状態で油面レベルに応じて上下方向に移動可能な平面プレートを設けることが記載されている。
【０００４】
また、特開平１１−２２８１１号公報（特許文献３）においては、自動変速機のオイルストレーナの吸込口がオイルパンの底部に対して可動となるように構成することが記載されている。
【特許文献１】特開２０００−４６１５５号公報
【特許文献２】特開平１１−２５７４６８号公報
【特許文献３】特開平１１−２２８１１号公報
【発明の開示】
【発明が解決しようとする課題】
【０００５】
オイルパンの貯留されたオイルを吸入する際、貯留されたオイルの液面が低いと、吸入口からエアが吸い込まれる場合がある。特許文献１に記載の変速機では、各装置の潤滑等に使用されたオイルは、各装置から下方に流れ落ち、オイルパンに戻されるが、オイルパンの各部に戻されるオイル量には、構造上ばらつきが生じるため、相対的にオイルの戻り量が少ない部分からは、エアの吸い込みが起こりやすくなる。このような問題は、オイルの粘度が高くなり、オイルパンへの戻り量が少なくなる低温時においてとくに顕著である。
【０００６】
なお、特許文献２，３においては、上記のようなエアの吸い込みを防止することを意図することが記載されているが、オイルパンへのオイルの戻り量が少ない箇所において選択的にエアの吸い込みを防止することは記載されていない。
【０００７】
本発明は、上記のような問題に鑑みてなされたものであり、本発明の目的は、オイルパンへのオイル戻り量が少ない部分からのエアの吸い込みが抑制された自動変速機のオイル吸入装置を提供することにある。
【課題を解決するための手段】
【０００８】
本発明に係る自動変速機のオイル吸入装置は、１つの局面では、底面を有し、自動変速機の各部に供給されたオイルが戻されて貯留されるオイルパンと、オイルパンの上方に位置する下面を有する上方部材と、オイルパンに貯留されたオイルを吸入する吸入口と、オイルパンにおけるオイルの戻り量が相対的に少ない部分と吸入口との間に選択的に設けられ、オイルパンの底面から上方部材の下面に達し、オイルの流れを遮断する遮断部とを備える。
【０００９】
上記構成によれば、オイルの戻り量が相対的に少ない部分と吸入口との間に選択的に遮断部を設けることで、オイルパンへのオイル戻り量が少ない部分からのエアの吸い込みを効果的に抑制することができる。
【００１０】
なお、上記構成において、「遮断部」は、オイルパン内のオイルの液面が上昇した場合には、オイルの流れを許容する場合がある。
【００１１】
好ましくは、上記自動変速機のオイル吸入装置において、遮断部は、オイルパンの底面と上方部材の下面との間隔に応じて変形可能である。
【００１２】
上記構成によれば、遮断部が変形することで、オイルパンと上方部材との間隔の寸法誤差を吸収することができる。結果として、オイルパンへのオイル戻り量が少ない部分からのエアの吸い込みをより効果的に抑制することができる。
【００１３】
好ましくは、上記自動変速機のオイル吸入装置において、遮断部は弾性部材を含む。これにより、オイルパンの底面と上方部材の下面との間隔に応じて簡単に遮断部を変形させることができる。
【００１４】
本発明に係る自動変速機のオイル吸入装置は、他の局面では、底面を有し、自動変速機の各部に供給されたオイルが戻されて貯留されるオイルパンと、オイルパンに貯留されたオイルを吸入する吸入口と、吸入口の周囲に設けられ、オイルパンにおけるオイルの戻り量が相対的に多い部分と吸入口との間に開口部を有する壁状部材とを備え、壁状部材は、オイルパンに貯留されたオイルの液面の高さに応じて吸入口に対して上下に移動可能であり、該壁状部材は、最下位置に移動したときにはその下端がオイルパンの底面に接触し、かつ、最下位置より上側に移動したときにはその下端がオイルパンの底面と離間する。
【００１５】
上記構成によれば、オイルの液面が低いときには、オイルパンにおけるオイルの戻り量が相対的に少ない部分から吸入口に向かうオイルの流れが壁状部材により選択的に遮断され、オイルの液面が高いときには、吸入口に向かう全方向からのオイルの流れが許容される。したがって、オイルの液面が低いときには、オイルパンへのオイル戻り量が少ない部分からのエアの吸い込みを効果的に抑制するとともに、オイルの液面が高いときには、吸入口からのオイルの吸入を効率的に行なうことが可能になる。
【００１６】
好ましくは、上記自動変速機のオイル吸入装置は、オイルパンの上方に位置する下面を有する上方部材をさらに備え、壁状部材は、少なくとも上方部材の下面に達するように設けられる。
【００１７】
上記構成によれば、壁状部材が上方部材の下面に達することで、エアの吸い込みをより確実に抑制することができる。
【００１８】
好ましくは、上記自動変速機のオイル吸入装置において、壁状部材は、オイルよりも比重の小さい素材を含み、オイルパンに貯留されたオイルの液面高さに応じて浮上するように構成される。
【００１９】
上記構成によれば、オイルの液面高さに応じて壁状部材による遮断の切換えを自動的に行なうことができる。
【００２０】
好ましくは、上記自動変速機のオイル吸入装置において、オイルの戻り量が相対的に多い部分は、第１部分と、該第１部分よりもオイルの戻り量が多い第２部分とを含み、開口部は、第１部分と吸入口との間に位置する第１開口部と、第２部分と吸入口との間に位置する第２開口部とを含み、第２開口部は、第１開口部よりも広く形成される。
【００２１】
上記構成によれば、効率的にオイルの吸入を行なうとともに、オイルの戻り量が多い部分においても、エアの吸い込みが生じることを抑制することができる。
【００２２】
１つの例として、上記自動変速機のオイル吸入装置において、壁状部材は円筒状に形成される。この場合、壁状部材は、該壁状部材の外周面から径方向外方に突出する突起部を含む。
【００２３】
上記構成によれば、壁状部材の外周面から径方向外方に突出する突起部を設けることで、壁状部材の回転を抑制することができる。
【００２４】
１つの例として、上記自動変速機のオイル吸入装置において、上方部材はオイルストレーナを含み、吸入口から吸入されたオイルはオイルストレーナに導かれる。
【００２５】
なお、上記「自動変速機」は、変速機と駆動軸とが一体に形成されたハイブリッド車両の動力伝達装置、および、変速機のみを有する装置をいずれも含む。
【発明の効果】
【００２６】
本発明によれば、自動変速機のオイル吸入装置において、オイルを吸入する吸入口からのエアの吸い込みを抑制することができる。
【発明を実施するための最良の形態】
【００２７】
以下に、本発明の実施の形態について説明する。なお、同一または相当する部分に同一の参照符号を付し、その説明を繰返さない場合がある。
【００２８】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００２９】
図１は、本発明の１つの実施の形態に係る自動変速機のオイル吸入装置が設けられた自動変速機のケースの下面図である。また、図２は、上記自動変速機のオイル吸入装置が設けられたオイルパンの下面図である。図１，図２中の上側にはエンジンが配設され、図１，図２中の右側（車両前方側）にはオイルクーラが設けられ、図１，図２中の左側（車両後方側）にはディファレンシャル機構が配設され、図１，図２中の下側にはリアカバーが配設されている。
【００３０】
図１，図２を参照して、自動変速機は、オイルパン１００と、オイルパン１００内のオイルを吸入する吸入口２００と、吸入口２００に隣接する位置に設けられる弾性壁３００とを含んで構成される。
【００３１】
オイルパン１００には、オイルが貯留されている。オイルパン１００に貯留されたオイルは、吸入口２００に吸入される。吸入口２００に吸入されたオイルは、自動変速機１の各部に供給された後、オイルパン１００に流れ落ちる。このように、自動変速機１のケース内では、オイルが循環している。
【００３２】
自動変速機１は、車両に搭載されるものであるため、様々な温度下で使用される。自動変速機１が低温（たとえば−２０℃〜−３０℃の極低温）の下で使用されるときは、オイルの粘度が高くなる。この結果、自動変速機１の各部に供給されたオイルがオイルパン１００に戻りにくくなり、オイルパン１００のオイルの液面が低下する傾向にある。
【００３３】
自動変速機１におけるエンジン側（図１，図２中の上側）に位置する部分（図１中のα部に相当する部分）には、油圧制御装置であるバルブボディからオイルポンプ、ロックアップ機構、プラネタリギヤ機構などの各機構に作動油や潤滑油などを供給するための油路２が配設される。油路２が設けられることにより、ケース内の隙間が狭くなる。したがって、自動変速機１のエンジン側では、オイルパン１００にオイルが流れ落ち難い傾向にある。
【００３４】
自動変速機１における車両の前方側（図１，図２中の右側）に位置する部分には、オイルクーラからの戻り油路が形成される。しかしながら、低温時、低スロットル時には、オイルクーラにおけるオイル流量が少なくなるので、オイルクーラからのオイルの戻り量も少なくなる傾向にある。したがって、低温時、低スロットル時には、自動変速機１の車両前方側でも、オイルパン１００にオイルが流れ落ち難い傾向にある。
【００３５】
これに対し、自動変速機１における車両の後方側（図１，図２中の左側）に位置する部分、および、自動変速機１におけるリアカバー側（図１，図２中の下側）に位置する部分では、ケース内の隙間も比較的大きく、車両の前方側およびエンジン側よりも多いオイル戻り量が確保される。
【００３６】
上記のように、オイルパン１００へのオイルの戻り量には、ばらつきがある。ここで、上述のように、低温時にオイルパン１００のオイルの液面が全体的に低下すると、オイルの戻り量が少ない部分から吸入口２００にエアが吸い込まれることが懸念される。図１，図２の例では、矢印Ｃ，Ｄの方向からの流れよりも矢印Ａ，Ｂの方向からの流れにエアが含まれやすい傾向にある。
【００３７】
車両に搭載される自動変速機においては、小型化が促進されることにより、ケース内面とケース内の収容物との隙間が狭くなる傾向にあり、高温時にブリーザからの吹き出しが生じやすくなっている。このような状況下では、ケース内のオイル量を減少させることが求められる。ケース内のオイル量を低減させた結果、オイルパン１００のオイルの液面が低下しやすくなり、低温時のエアの吸い込みを抑制することは重要な課題である。
【００３８】
本実施の形態では、矢印Ａ，Ｂからの流れを遮断するために、吸入口２００に対してエンジン側（図１，図２中の上側）および車両の前方側（図１，図２中の右側）に、選択的に弾性壁３００を設けている。これにより、矢印Ａ，Ｂからの流れに含まれるエアが吸入口２００に吸い込まれることを抑制することができる。
【００３９】
図３は、比較例に係るオイル吸入装置を示す図である。図３の例では、オイルパン１００の上方に、オイルストレーナ２１０およびバルブボディ２２０が設けられている。オイルストレーナ２１０およびバルブボディ２２０には、吸入口２００に吸入されたオイルが導かれる。そして、本比較例では、本実施の形態における弾性壁３００に代えて、オイルパン１００の底面とオイルストレーナ２１０の下面との間にリブ３００Ａが設けられている。
【００４０】
図３の例において、図１，図２の例と同様に、吸入口２００に対してエンジン側および車両の前方側のみに選択的にリブ３００Ａを設けることで、エアが含まれやすい方向の流路抵抗を増大させることができる。しかしながら、このようにした場合にも、リブ３００Ａとオイルパン１００の底面との間に隙間が残存している場合、吸入口２００へのエアの吸い込みを確実に防止することは困難である。
【００４１】
図４は、本実施の形態に係る自動変速機のオイル吸入装置を示す図である。図４を参照して、本実施の形態においては、弾性壁３００によりオイルパン１００の底面とオイルストレーナ２１０の下面との間を完全に遮断している。このような弾性壁３００をエアが含まれやすい流れを遮断するように設けることで、吸入口２００へのエアの吸い込みを確実に防止することができる。
【００４２】
弾性壁３００は、オイルパン１００の底面とオイルストレーナ２１０の下面との間で弾性変形可能な素材（たとえばゴム）などにより構成される。弾性壁３００の素材として弾性の高いものを用いることで、オイルパン１００の底面とオイルストレーナ２１０の下面との隙間の寸法誤差を吸収したり、走行時の飛び石や悪路走行などによりオイルパン１００が変形した場合にオイルストレーナ２１０やバルブボディ２２０にダメージが及ぶことを抑制することができる。
【００４３】
次に、図５〜図７を用いて、弾性壁３００の設置方法の例について説明する。図５の例では、オイルストレーナ２１０の下面に弾性壁３００を取り付けている。そして、この弾性壁３００をオイルパン１００の底面に押付けることで、オイルパン１００の底面とオイルストレーナ２１０の下面との隙間を遮断する。図６の例では、オイルパン１００の底面に弾性壁３００を取り付けている。そして、この弾性壁３００にオイルストレーナ２１０の下面を押付けることで、オイルパン１００の底面とオイルストレーナ２１０の下面との隙間を遮断する。図７の例では、オイルストレーナ２１０の下面に、弾性壁３００の一部を受け入れるガイド部を形成した上で、オイルパン１００の底面とオイルストレーナ２１０の下面とで弾性壁３００を挟持することで、オイルパン１００の底面とオイルストレーナ２１０の下面との隙間を遮断する。
【００４４】
上述した本実施の形態に係る自動変速機のオイル吸入装置によれば、オイルの戻り量が相対的に少ない部分と吸入口２００との間に選択的に弾性壁３００を設けることで、オイルパン１００へのオイルの戻り量が少ない部分からのエアの吸い込みを効果的に抑制することができる。
【００４５】
また、上記装置においては、弾性壁３００が、オイルパン１００の底面とオイルストレーナ２１０の下面との間隔に応じて変形することで、オイルパン１００とオイルストレーナ２１０との間隔の寸法誤差を吸収することができる。結果として、オイルパン１００へのオイルの戻り量が少ない部分からのエアの吸い込みをより効果的に抑制することができる。
【００４６】
次に、図８〜図１１を用いて、本実施の形態に係るオイル吸入装置の変形例について説明する。なお、図８は、当該変形例におけるオイル液面の低い状態を示す図であり、図９は、図８におけるIＸ−IＸ断面図であり、図１０は、上記変形例におけるオイル液面の高い状態を示す図である。また、図１１は、図８〜図１０に示されるオイル吸入装置に含まれる円筒部材を示す図である。
【００４７】
図８〜図１１を参照して、本変形例に係るオイル吸入装置は、上述の弾性壁３００に代えて、円筒部材３１０を有する。円筒部材３１０は、吸入口２００を取り囲むように設けられる。また、円筒部材３１０は、開口部３１１Ｃ，３１１Ｄを有している。開口部３１１Ｃは、吸入口２００に対してディファレンシャル機構側に設けられており、矢印Ｃ方向からのオイルを受け入れる。また、開口部３１１Ｄは、吸入口２００に対してリアカバー側に設けられており、矢印Ｄ方向からのオイルを受け入れる。なお、円筒部材３１０には、図９，図１１に示されるように、突出部３１２が設けられているため、円筒部材３１０の回転は抑制されている。
【００４８】
円筒部材３１０は、オイル４００よりも比重の小さい素材により構成される。したがって、図８に示すように、オイル４００の液面が低い場合には、円筒部材３１０の下端がオイルパン１００の底面と接触し、図１０に示すように、オイル４００の液面が高い場合には、円筒部材３１０が浮上してその下端がオイルパン１００の底面と離間する。したがって、オイル４００の液面が低い場合（すなわち、矢印Ａ，Ｂの方向からのエアの吸い込みが生じやすい場合）には、矢印Ｃ，Ｄの方向から吸入口２００に向かうオイルの流れのみが許容され、オイル４００の液面が高い場合（すなわち、エアの吸い込みが生じにくい場合）には、全方向から吸入口２００に向かうオイルの流れが許容される。この結果、オイル４００の液面が低い場合のエアの吸い込みを抑制しながら、オイル４００の液面が高い場合にはオイルの吸入効率を向上させることができる。
【００４９】
なお、上記の例では、開口部３１１Ｃ，３１１Ｄは、それぞれ略同じ大きさに形成されているが、開口部３１１Ｃが２つ形成されているのに対し、開口部３１１Ｄは１つだけ形成されている。すなわち、開口部３１１Ｃは、開口部３１１Ｄよりも広く開口されている。このようにすることで、矢印Ｄの方向からのオイルよりも矢印Ｃの方向からのオイルをより受け入れやすくなる。したがって、最もオイルの戻り量が多い車両の後方側（ディファレンシャルギヤ機構側）から効率的にオイル４００の吸入を行なうとともに、エンジン側や車両の前方側よりはオイルの戻り量が多いものの車両の後方側よりはオイルの戻り量が少ないリアカバー側からのエアの吸い込みを抑制することができる。
【００５０】
なお、上記の例では、開口部３１１Ｃの数を開口部３１１Ｄの数よりも多くすることにより開口部３１１Ｃを開口部３１１Ｄよりも広く開口させるようにしたが、開口部３１１Ｃの数と開口部３１１Ｄの数とが同じ場合（または開口部３１１Ｃの数が開口部３１１Ｄの数よりも少ない場合）であっても、各々の開口部３１１Ｃの大きさを開口部３１１Ｄよりも大きくすることで、開口部３１１Ｃを開口部３１１Ｄよりも広く開口させることは可能である。
【００５１】
上述した本実施の形態の変形例に係る自動変速機のオイル吸入装置によれば、オイルパン１００内のオイル４００の液面が低いときには、オイルパン１００におけるオイル４００の戻り量が相対的に少ない部分から吸入口２００に向かうオイルの流れが円筒部材３１０により選択的に遮断され、オイル４００の液面が高いときには、吸入口２００に向かう全方向からのオイル４００の流れが許容される。したがって、オイル４００の液面が低いときには、オイルパン１００へのオイル戻り量が少ない部分からのエアの吸い込みを効果的に抑制するとともに、オイル４００の液面が高いときには、吸入口２００からのオイル４００の吸入を効率的に行なうことが可能になる。
【００５２】
また、上記装置においては、オイルパン１００に貯留されたオイル４００の液面高さに応じて浮上するように円筒部材３１０が構成されることで、オイル４００の液面高さに応じて円筒部材３１０による遮断の切換えを自動的に行なうことができる。
【００５３】
上述した内容について要約すると、以下のようになる。すなわち、本実施の形態に係る自動変速機のオイル吸入装置は、１つの局面では、図１，図２，図４に示すように、自動変速機の各部に供給されたオイルが戻されて貯留されるオイルパン１００と、オイルパン１００の上方に位置する「上方部材」としてのオイルストレーナ２１０と、オイルパン１００に貯留されたオイルを吸入する吸入口２００と、オイルパン１００におけるオイルの戻り量が相対的に少ない部分と吸入口２００との間に選択的に設けられ、オイルパン１００の底面からオイルストレーナ２１０の下面に達し、オイルの流れを遮断する「遮断部」としての弾性壁３００（弾性部材）とを備える。弾性壁３００は、オイルパン１００の底面とオイルストレーナ２１０の下面との間隔に応じて変形可能である。
【００５４】
なお、図８〜図１１に示される円筒部材３１０は、オイルパン１００内のオイル４００の液面が低い場合には、矢印Ａおよび矢印Ｂの方向からのオイルの流れを選択的に遮断するので、弾性壁３００と同様に「遮断部」を構成するものである。
【００５５】
本実施の形態に係る自動変速機のオイル吸入装置は、他の局面では、図８〜図１１に示すように、オイルパン１００と、オイルストレーナ２１０と、吸入口２００と、吸入口２００の周囲に設けられ、オイルパン１００におけるオイル４００の戻り量が相対的に多い部分と吸入口２００との間に開口部３１１Ａ，３１１Ｂを有する「壁状部材」としての円筒部材３１０とを備え、円筒部材３１０は、オイルパン１００に貯留されたオイル４００の液面の高さに応じて吸入口２００に対して上下に移動可能であり、円筒部材３１０は、最下位置に移動したときにはその下端がオイルパン１００の底面に接触し、かつ、最下位置より上側に移動したときにはその下端がオイルパン１００の底面と離間する。
【００５６】
なお、上記「壁状部材」は、必ずしも円筒部材３１０に限定されず、たとえば多角形の筒状部材であってもよい。多角形の筒状部材を用いた場合には、円筒部材３１０のように突出部３１２を設けなくても、回転を防止することができる。また、「壁状部材」は筒状の部材に限定されず、たとえばオイル戻り量が少ない部分と吸入口２００との間に選択的に設けられた平板状の部材であってもよい。
【００５７】
なお、オイル４００の戻り量が相対的に多い部分は、リアカバー側に位置する「第１部分」と、ディファレンシャル機構側に位置し、リアカバー側に位置する「第１部分」よりもオイル４００の戻り量が多い「第２部分」とを含み、開口部は、リアカバー側に位置する「第１開口部」としての開口部３１１Ｄと、ディファレンシャル機構側に位置する「第２開口部」としての開口部３１１Ｃとを含む。開口部３１１Ｃは、開口部３１１Ｄよりも広く開口するように形成されている。
【００５８】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００５９】
【図１】本発明の１つの実施の形態に係る自動変速機のオイル吸入装置が設けられた自動変速機のケースの下面図である。
【図２】本発明の１つの実施の形態に係る自動変速機のオイル吸入装置が設けられたオイルパンの下面図である。
【図３】比較例に係るオイル吸入装置を示す図である。
【図４】本発明の１つの実施の形態に係る自動変速機のオイル吸入装置を示す図である。
【図５】図４に示されるオイル吸入装置に含まれる弾性壁の設置方法の一例を示す図である。
【図６】図４に示されるオイル吸入装置に含まれる弾性壁の設置方法の他の例を示す図である。
【図７】図４に示されるオイル吸入装置に含まれる弾性壁の設置方法のさらに他の例を示す図である。
【図８】本発明の１つの実施の形態に係る自動変速機のオイル吸入装置の変形例におけるオイル液面の低い状態を示す図である。
【図９】図８におけるIＸ−IＸ断面図である。
【図１０】本発明の１つの実施の形態に係る自動変速機のオイル吸入装置の変形例におけるオイル液面の高い状態を示す図である。
【図１１】図８〜図１０に示されるオイル吸入装置に含まれる円筒部材を示す図である。
【符号の説明】
【００６０】
１  自動変速機、２  油路、１００  オイルパン、２００  吸入口、２１０  オイルストレーナ、２２０  バルブボディ、３００  弾性壁、３００Ａ  リブ、３１０  円筒部材、３１１Ｃ，３１１Ｄ  開口部、３１２  突出部、４００  オイル。
【図１】
2008128269.tif 000003
【図２】
2008128269.tif 000004
【図３】
2008128269.tif 000005
【図４】
2008128269.tif 000006
【図５】
2008128269.tif 000007
【図６】
2008128269.tif 000008
【図７】
2008128269.tif 000009
【図８】
2008128269.tif 000010
【図９】
2008128269.tif 000011
【図１０】
2008128269.tif 000012
【図１１】
2008128269.tif 000013